(57)【特許請求の範囲】
【請求項１】
長方形の可撓性を有するシートからなるカバー部材と、
前記カバー部材の相対向する２つの短辺側の端縁部にそれぞれ設けられ、該短辺側の端縁部に沿って延びる端部補強板と、
前記カバー部材に設けられ、前記２つの端部補強板の間において、該端部補強板と平行に延びる中間補強板と、
前記２つの短辺側の端縁部における長手方向中間位置にそれぞれ連結され、前記カバー部材を物干し竿に取付けるための端部取付具と、
前記カバー部材の４隅にそれぞれ取付けられた連結ひもと、
を備え、
前記端部補強板および前記中間補強板はそれぞれ、前記短辺側の端縁部の長手方向端部には存在しないで、該短辺側の端縁部の長手方向中間部分にのみ存在するように設定され、
前記カバー部材の少なくとも中央部分に、物干しハンガにおける取付部が通過可能な中央貫通孔が形成され、
前記中間補強板が、前記中央貫通孔の近くに位置され、
前記中央貫通孔が、前記カバー部材のうち、前記短辺側の端縁部の長手方向中間位置において、前記２つの端部補強板と直交する方向に長く延びるスリットとして形成され、
前記中間補強板が取付布によってその長手方向にスライド可能として前記カバー部材に保持され、
前記中間補強板の前記カバー部材および前記取付布に対するスライド位置を変更することによって前記スリットが開閉されて、該開かれたときのスリットによって物干しハンガにおける取付部が通過可能な前記中央貫通孔が形成されると共に、該中間補強板の該カバー部材と該取付布に対する摺動抵抗によって該中央貫通孔が開口された状態が維持される、
ことを特徴とする物干しカバー。
【請求項２】
長方形の可撓性を有するシートからなるカバー部材と、
前記カバー部材の相対向する２つの短辺側の端縁部にそれぞれ設けられ、該短辺側の端縁部に沿って延びる端部補強板と、
前記カバー部材に設けられ、前記２つの端部補強板の間において、該端部補強板と平行に延びる中間補強板と、
前記２つの短辺側の端縁部における長手方向中間位置にそれぞれ連結され、前記カバー部材を物干し竿に取付けるための端部取付具と、
前記カバー部材の４隅にそれぞれ取付けられた連結ひもと、
を備え、
前記端部補強板および前記中間補強板はそれぞれ、前記短辺側の端縁部の長手方向端部には存在しないで、該短辺側の端縁部の長手方向中間部分にのみ存在するように設定され、
前記カバー部材の少なくとも中央部分に、物干しハンガにおける取付部が通過可能な中央貫通孔が形成され、
前記中間補強板が、前記中央貫通孔の近くに位置され、
前記中間補強板の中央部に前記中央貫通孔と整合する貫通孔が形成されて、該中間補強板が該中央貫通孔の周縁部を補強すると共に、該中間補強板によって該中央貫通孔が常時開口された状態に維持されている、
ことを特徴とする物干しカバー。
【請求項３】
請求項１または請求項２において、
前記中間補強板の下面に、物干し竿に取付けるための中央取付具が設けられている、ことを特徴とする物干しカバー。
【請求項４】
請求項１ないし請求項３のいずれか１項において、
前記カバー部材に、前記２つの端部補強板の間でかつ前記中央貫通孔を挟むようにして、物干しハンガにおける取付部が通過される２つの端部貫通孔が形成されている、ことを特徴とする物干しカバー。
【請求項５】
請求項１、請求項３、請求項４のいずれか１項において、
前記端部取付具の物干し竿に対する取付部位に対して、前記カバー部材が所定分上方に位置するように、該端部取付具とカバー部材とが連結され、
前記中間補強板の下面に、物干し竿に取付けるための中央取付具が設けられ、
前記中央取付具が前記中間補強板に対して起倒自在とされて、起立位置にある該中央取付具の物干し竿に対する取付部位に対して、該中間補強板が所定分高い位置に位置するように設定されている、
ことを特徴とする物干しカバー。
【請求項６】
請求項１ないし請求項５のいずれか１項において、
前記端部取付具の物干し竿に対する取付部位に対して、前記カバー部材が所定分上方に位置するように、該端部取付具とカバー部材とが連結されている、ことを特徴とする物干しカバー。
【請求項７】
請求項６において、
前記端部取付具が、物干し竿に対する取付部位と前記カバー部材に対する連結部位との間の高さが変更可能なようにその長さが調整可能とされている、ことを特徴とする物干しカバー。
【請求項８】
請求項１ないし請求項７のいずれか１項において、
前記端部取付具が、前記端部補強板に対して取付けられている、ことを特徴とする物干しカバー。
【請求項９】
請求項１ないし請求項８のいずれか１項において、
前記端部取付具が、前記カバー部材に対して着脱自在とされている、ことを特徴とする物干しカバー。
【発明の詳細な説明】
【技術分野】
【０００１】
本発明は、洗濯物を覆う物干しカバーに関するものである。
【背景技術】
【０００２】
洗濯物は、その乾燥を行うために、物干し竿に直接的に保持されたり（洗濯物を物干し竿に引っ掛けたり、物干し竿に洗濯物を通すことによる保持）、あるいは物干し竿に取付けられた物干しハンガに保持されることが多い。物干しハンガを利用する場合は、物干しハンガに多くの洗濯物が同時に保持されることになる。
【０００３】
例えば、洗濯物が空気中の埃によって汚損されるのを防止するため、目隠しを行うため（特に洗濯物が下着類の場合）、あるいは日焼けによる退色を防止するため等種々の観点から、洗濯物を物干しカバーで覆った状態で乾燥させることが望まれる場合が多々ある。物干しカバーを構成するカバー部材は、通気性確保のためにメッシュ状のシート材が一般的に広く用いられている。また、カバー部材の中には、極細繊維によって形成されて、通気性を確保しつつ花粉の付着防止を行うものや、防水の観点から雨水を全く通過させないもの等、その用途に応じて種々のものが提案されている。
【０００４】
特許文献１には、拡げた状態でシート状となるカバー部材の適宜の箇所に面ファスナを設けて、筒状の立体形状を構成し得るようにして、物干しカバーの上方および側方を覆うものが開示されている。特許文献２には、物干しハンガをその上方および側方から覆う物干しカバーにおいて、垂れ下がる物干しカバーの下縁部をすぼませるようにしたものが開示されている。
【０００５】
特許文献３には、物干し竿を上方から覆う屋根（物干しカバー）が開示されており、物干し竿の伸び方向とは直交する方向に伸びるフレーム材によって、物干し竿の長手方向から見たときに上方に凸となった屋根形状を確実に保持できるものが開示されている。特許文献４には、物干し竿に直接保持された洗濯物を、物干し竿と共にその上方および左右側方から覆うシート状の物干しカバーが開示されており、物干し竿部分から下方に垂れ下がる左右一対の側方シート同士を係止帯で連結するものが開示されている。
【特許文献１】特開２００４−１６０１３４号公報
【特許文献２】特開２０００−１５７７９２号公報
【特許文献３】実開平４−６８７８４号公報
【特許文献４】特開２００３−２３０７９７号公報
【発明の開示】
【発明が解決しようとする課題】
【０００６】
特に目隠しや汚れ防止、日焼け防止等の観点から用いられる物干しカバーは、洗濯物の上方および側方を覆うことが望まれることになる。より具体的には、物干し竿に直接的に洗濯物を保持させた場合に用いられる物干しカバーとしては、物干し竿および洗濯物の上方および左右の側方（物干し竿の長手方向から見たときの左右側方）を覆うことが望まれることになる。また、物干し竿に取付けられた物干しハンガを利用して洗濯物を乾燥させる場合に用いられる物干しカバーとしては、物干しハンガおよび洗濯物の上方および側方を覆うことが望まれることになる。
【０００７】
物干し竿の上方から覆う使用態様において、物干し竿をほぼ水平になって上方から覆う屋根としての機能の他に、物干し竿の下方に位置される洗濯物の左右側方を覆うことが好ましいが、特許文献３に記載のものでは、洗濯物の左右側方を覆うことができないものである。また、特許文献３に記載のものでは、使用しないときに、折り畳んだりあるいは丸めたとしても、長いフレーム材以下の短さにはならず、使用しないときの保管に不便となる。
【０００８】
さらに、従来の物干しカバーは、物干しハンガ用として専用のものか、あるいは物干し竿用として専用のものとなっていた。しかしながら、物干しハンガ用と物干し竿用とで別途専用の物干しカバーを２種類用意することは、出費がかさむだけでなく、日常の管理等も面倒になり、さらに洗濯物を乾すたびに２種類の物干しカバーをいちいち使い分けする必要があり、この点においてもなんらかの対策が望まれるものである。
【０００９】
本発明は以上のような事情を勘案してなされたもので、その目的は、物干し竿に直接的あるいは間接的に保持された洗濯物を、上方から屋根状態でもって覆うことができると共に左右側方をも覆うことができ、しかも使用しないときには小さくなった収納状態とすることのできるようにした物干しカバーを提供することにある。
【課題を解決するための手段】
【００１０】
前記目的を達成するため、本発明にあっては次のような第１の解決手法を採択してある。すなわち、特許請求の範囲における請求項１に記載のように、
長方形の可撓性を有するシートからなるカバー部材と、
前記カバー部材の相対向する２つの短辺側の端縁部にそれぞれ設けられ、該短辺側の端縁部に沿って延びる端部補強板と、
前記カバー部材に設けられ、前記２つの端部補強板の間において、該端部補強板と平行に延びる中間補強板と、
前記２つの短辺側の端縁部における長手方向中間位置にそれぞれ連結され、前記カバー部材を物干し竿に取付けるための端部取付具と、
前記カバー部材の４隅にそれぞれ取付けられた連結ひもと、
を備え、
前記端部補強板および前記中間補強板はそれぞれ、前記短辺側の端縁部の長手方向端部には存在しないで、該短辺側の端縁部の長手方向中間部分にのみ存在するように設定され、
前記カバー部材の少なくとも中央部分に、物干しハンガにおける取付部が通過可能な中央貫通孔が形成され、
前記中間補強板が、前記中央貫通孔の近くに位置され、
前記中央貫通孔が、前記カバー部材のうち、前記短辺側の端縁部の長手方向中間位置において、前記２つの端部補強板と直交する方向に長く延びるスリットとして形成され、
前記中間補強板が取付布によってその長手方向にスライド可能として前記カバー部材に保持され、
前記中間補強板の前記カバー部材および前記取付布に対するスライド位置を変更することによって前記スリットが開閉されて、該開かれたときのスリットによって物干しハンガにおける取付部が通過可能な前記中央貫通孔が形成されると共に、該中間補強板の該カバー部材と該取付布に対する摺動抵抗によって該中央貫通孔が開口された状態が維持される、
ようにしてある。
【００１１】
上記解決手法によれば、物干しカバーの２つの端部取付具を、物干し竿の長手方向に互いに離間した状態でもって物干し竿に取付けて、物干しカバーが物干し竿の長手方向に張られた状態とする。この状態においては、物干しカバーのうち端部補強板が存在する長さ部分は、あたかも屋根のようになって物干し竿および洗濯物の上方を覆う一方、端部補強板の各端縁部からは物干しカバーが垂れ下がって、物干し竿および洗濯物の左右の側方を覆うことになる。そして、使用しないときは、折り畳むことによりあるいは丸めることにより、極めて小さな収納状態とすることができる。この場合、端部補強板は、カバー部材の特定の端縁部の長さよりも十分短くされているので、収納状態とされたときの長さを短いものとすることができる。
また、物干しカバーのうち２つの端部補強板の間にある部分も、中間補強板によって補強されて下方へ大きく垂れ下がるのが防止されることになる。特に、洗濯物を物干し竿に直接的に保持させる場合に、物干しカバーのうち物干し竿の長手方向物中間部分が下方へ不用意に垂れ下がってしまうのを防止する上で好ましいものとなる。
物干し竿に取付けた物干しハンガに洗濯物を保持させた場合にも適用できる。すなわち、物干しカバーの中央貫通孔に物干しハンガの取付具を挿通させて、この取付具によって物干しハンガを例えば物干し竿に取付けておく。この状態において、物干しカバーのうち、中央貫通孔の周縁部付近は、物干しハンガおよび洗濯物の上方を覆うことになり、中央貫通孔から離れた端縁部に近い部分は、物干しハンガの周縁部から垂れ下がって、物干しハンガや洗濯物の側方を覆うことになる。
隣合う一対の連結ひも同士を連結することにより、使用状態にある物干しカバーのうち垂れ下がっている部分が風等によって不用意にまくれ上がってしまう事態を確実に防止することができる。
特に、物干し竿に取付けた物干しハンガに洗濯物を保持させた場合に、物干しハンガが物干し竿の長手方向に短い場合には、カバー部材によって、物干しハンガの上方と前後左右の側方とを覆う袋状にして、この袋状の状態を連結ひもを利用して確実に保持させることができる。
なお、端部取付具を物干し竿に取付けない状態で使用する場合は、端部取付具がカバー部材に対する重しとなるので、カバー部材が風によって不用意にまくれあがってしまうことを防止する上でより一層好ましいものとなる。特に、中央貫通孔に物干しハンガの取付具を挿通させて使用する場合は、端部取付具を重しとして使用したり、あるいは端部取付具を物干し竿に取付けて、カバー部材の位置決めとして使用することもできる。
以上に加えて、中央貫通孔を中間補強板によって開口状態に維持しておくことにより、洗濯物の乾燥中にあっては、中央貫通孔を通じた空気の流通によって洗濯物を早期に乾燥させる上で好ましいものとなり、また物干しハンガを利用する場合は、中央貫通孔に対して物干しハンガにおける取付部を抜き差しする作業が容易となる。また、例えば風が強くて埃等による洗濯物の汚損防止や日焼け防止を優先する場合は、中央貫通孔を閉じた状態として洗濯物が汚損されにくい状態とすることができる。
【００１２】
前記目的を達成するため、本発明にあっては次のような第２の解決手法を採択してある。すなわち、特許請求の範囲における請求項２に記載のように、
長方形の可撓性を有するシートからなるカバー部材と、
前記カバー部材の相対向する２つの短辺側の端縁部にそれぞれ設けられ、該短辺側の端縁部に沿って延びる端部補強板と、
前記カバー部材に設けられ、前記２つの端部補強板の間において、該端部補強板と平行に延びる中間補強板と、
前記２つの短辺側の端縁部における長手方向中間位置にそれぞれ連結され、前記カバー部材を物干し竿に取付けるための端部取付具と、
前記カバー部材の４隅にそれぞれ取付けられた連結ひもと、
を備え、
前記端部補強板および前記中間補強板はそれぞれ、前記短辺側の端縁部の長手方向端部には存在しないで、該短辺側の端縁部の長手方向中間部分にのみ存在するように設定され、
前記カバー部材の少なくとも中央部分に、物干しハンガにおける取付部が通過可能な中央貫通孔が形成され、
前記中間補強板が、前記中央貫通孔の近くに位置され、
前記中間補強板の中央部に前記中央貫通孔と整合する貫通孔が形成されて、該中間補強板が該中央貫通孔の周縁部を補強すると共に、該中間補強板によって該中央貫通孔が常時開口された状態に維持されている、
ようにしてある。上記解決手法によれば、スリットつまり中央貫通孔は常時開口状態に維持されて、中央貫通孔を変位状態にできない場合を除いて、請求項１に対応した効果と同様に効果を得ることができる。勿論、中央貫通孔の周縁部は、物干しハンガの取付具が繰り返し抜き差しされることからもっとも損傷されやすい部分となるが、中間補強板による補強作用によってその損傷を防止して、耐久性向上の上で好ましいものとなる。
【００１３】
上記解決手法を前提とした好ましい態様は、特許請求の範囲における請求項３以下に記載のとおりである。
【００１４】
前記中間補強板の下面に、物干し竿に取付けるための中央取付具が設けられている、ようにしてある（請求項３対応）。この場合、物干しカバーのうち物干し竿の長手方向中間部分に相当する部分が不用意に大きく垂れ下がってしまう事態を防止する上で好ましいものとなり、また、物干しカバーの物干し竿に対する取付強度も向上される。
【００１５】
前記カバー部材に、前記２つの端部補強板の間でかつ前記中央貫通孔を挟むようにして、物干しハンガにおける取付部が通過される２つの端部貫通孔が形成されている、ようにしてある（請求項４対応）。この場合、比較的大型の物干しハンガにあっては、その長手方向中間部に加えてその前後にも端部取付具が存在したり、あるいは前後２つの取付具を有するものもあるが、このような大型で複数の取付具を有する物干しハンガに対しても適用できる。
【００１６】
【００１７】
【００１８】
【００１９】
【００２０】
【００２１】
前記端部取付具の物干し竿に対する取付部位に対して、前記カバー部材が所定分上方に位置するように、該端部取付具とカバー部材とが連結され、
前記中間補強板の下面に、物干し竿に取付けるための中央取付具が設けられ、
前記中央取付具が前記中間補強板に対して起倒自在とされて、起立位置にある該中央取付具の物干し竿に対する取付部位に対して、該中間補強板が所定分高い位置に位置するように設定されている、
ようにしてある（請求項５対応）。この場合、物干しカバーを、物干し竿および洗濯物を上方から覆うようにして用いる場合に、物干しカバーのうち物干し竿および洗濯物の上方に位置する部分が、物干し竿や洗濯物に対して確実に上下方向に離間する状態が確保されることになって（洗濯物の水分が逃げる上方空間が確実に確保されて）、早期の乾燥を行う上で好ましいものとなる。また、中央取付具を積極的に利用しないときは、倒伏位置とすることにより、中央取付具と他物品との干渉を避けることができ、また収納状態に小さくする場合にも有利となる。
【００２２】
前記端部取付具の物干し竿に対する取付部位に対して、前記カバー部材が所定分上方に位置するように、該端部取付具とカバー部材とが連結されている、ようにしてある（請求項６対応）。この場合、物干しカバーを、物干し竿および洗濯物を上方から覆うようにして用いる場合に、物干しカバーのうち物干し竿および洗濯物の上方に位置する部分が、物干し竿や洗濯物に対して確実に上下方向に離間する状態が確保されることになって（洗濯物の水分が逃げる上方空間が確実に確保されて）、早期の乾燥を行う上で好ましいものとなる。
【００２３】
前記端部取付具が、物干し竿に対する取付部位と前記カバー部材に対する連結部位との間の高さが変更可能なようにその長さが調整可能とされている、ようにしてある（請求項７対応）。この場合、物干し竿に対する洗濯物の厚さや、物干し竿による洗濯物の保持状態等に応じて、上下方向間隔を調整して、常に物干し竿と洗濯物との上方に水分の逃げ空間を確保する上で好ましいものとなる。
【００２４】
前記端部取付具が、前記端部補強板に対して取付けられている、ようにしてある（請求項８対応）。この場合、カバー部材と端部取付具との連結強度を十分に確保する上で好ましいものとなる。特に、物干し竿および洗濯物を上方から覆うようにして使用する場合に、物干しカバーは物干し竿の長手方向にぴんと張った状態にすることが望まれる関係上、カバー部材（の特定の端縁部）と端部取付具との連結部位は大きな力が作用して損傷され易い部分となるが、この損傷され易い部分が端部補強板によって補強されて、耐久性を向上させることができる。
【００２５】
前記端部取付具が、前記カバー部材に対して着脱自在とされている、ようにしてある（請求項９応）。この場合、物干しハンガを利用した洗濯物の乾燥を行うときは、端部取付具が必要のないものとなるが、このような場合に端部取付具をカバー部材から取外した状態で使用することができる。なお、物干しハンガを利用した洗濯物の乾燥時に、端部取付具を取付けたままとして、その重さを利用してカバー部材が風によって不用意にまくれ上がってしまうのを防止することもできる。
【００２６】
【発明の効果】
【００２７】
本発明による物干しカバーは、物干しカバーの２つの端部取付具を、物干し竿の長手方向に互いに離間した状態でもって物干し竿に取付けて、物干しカバーが物干し竿の長手方向に張られた状態においては、物干しカバーのうち端部補強板が存在する長さ部分は、あたかも屋根のようになって物干し竿および洗濯物の上方を覆う一方、端部補強板の各端縁部からは物干しカバーが垂れ下がって、物干し竿および洗濯物の左右の側方を覆うことになる。そして、使用しないときは、折り畳むことによりあるいは丸めることにより、極めて小さな収納状態とすることができる。この場合、端部補強板は、カバー部材の特定の端縁部の長さよりも十分短くされているので、収納状態とされたときの長さを短いものとすることができる。
また、物干しカバーのうち２つの端部補強板の間にある部分も、中間補強板によって補強されて下方へ大きく垂れ下がるのが防止されることになる。特に、洗濯物を物干し竿に直接的に保持させる場合に、物干しカバーのうち物干し竿の長手方向物中間部分が下方へ不用意に垂れ下がってしまうのを防止する上で好ましいものとなる。
物干し竿に取付けた物干しハンガに洗濯物を保持させた場合にも適用できる。すなわち、物干しカバーの中央貫通孔に物干しハンガの取付具を挿通させて、この取付具によって物干しハンガを例えば物干し竿に取付けておく。この状態において、物干しカバーのうち、中央貫通孔の周縁部付近は、物干しハンガおよび洗濯物の上方を覆うことになり、中央貫通孔から離れた端縁部に近い部分は、物干しハンガの周縁部から垂れ下がって、物干しハンガや洗濯物の側方を覆うことになる。
隣合う一対の連結ひも同士を連結することにより、使用状態にある物干しカバーのうち垂れ下がっている部分が風等によって不用意にまくれ上がってしまう事態を確実に防止することができる。
特に、物干し竿に取付けた物干しハンガに洗濯物を保持させた場合に、物干しハンガが物干し竿の長手方向に短い場合には、カバー部材によって、物干しハンガの上方と前後左右の側方とを覆う袋状にして、この袋状の状態を連結ひもを利用して確実に保持させることができる。
なお、端部取付具を物干し竿に取付けない状態で使用する場合は、端部取付具がカバー部材に対する重しとなるので、カバー部材が風によって不用意にまくれあがってしまうことを防止する上でより一層好ましいものとなる。特に、中央貫通孔に物干しハンガの取付具を挿通させて使用する場合は、端部取付具を重しとして使用したり、あるいは端部取付具を物干し竿に取付けて、カバー部材の位置決めとして使用することもできる。
以上に加えて、中央貫通孔を開口状態に維持しておくことにより（請求項１に記載の発明対応）あるいは中央貫通孔を常時開口状態とすることにより（請求項２に記載の発明対応）、洗濯物の乾燥中にあっては、中央貫通孔を通じた空気の流通によって洗濯物を早期に乾燥させる上で好ましいものとなり、また物干しハンガを利用する場合は、中央貫通孔に対して物干しハンガにおける取付部を抜き差しする作業が容易となる。
また、請求項１に記載の発明にあっては、例えば風が強くて埃等による洗濯物の汚損防止や日焼け防止を優先する場合は、中央貫通孔を閉じた状態として洗濯物が汚損されにくい状態とすることができる。
さらに、中央貫通孔の周縁部は、物干しハンガの取付具が繰り返し抜き差しされることからもっとも損傷されやすい部分となるが、請求項２に記載の発明にあっては、中間補強板による補強作用によってその損傷を防止して、耐久性向上の上で好ましいものとなる。
【発明を実施するための最良の形態】
【００２８】
図１において、本発明による物干しカバーＫは、カバー部材１を有する。カバー部材１は、例えば、メッシュ状とされて通気性の高められた布、ＵＶカット機能が高められた布、ミラー（反射）効果が高められた布等によって全体的に長方形状とされて、十分に可撓性を有するように形成されている。カバー部材１は、実施形態では、主として目隠し用となるように設定されている関係上、１〜２ｍ離れた位置からは、カバー部材１によって覆われた物体（洗濯物）が視認できないようにその目の細かさが設定されている。このカバー部材１の全周縁部には、補強布２が例えば縫合によって一体化されて、カバー部材１の周縁部が損傷されにくいようにされている。
【００２９】
カバー部材１について、その長手方向となる図１左右方向を前後方向と称し、図１上下方向を左右方向と称して、以下に詳述する。まず、カバー部材１の前後方向（長手方向）の端縁部１ａ、１ｂが短辺となるもので、この端縁部１ａ、１ｂが特定の端縁部となる。また、長辺となる左右方向端縁部が、符合１ｃ、１ｄで示される。なお、実施形態では、短辺となる端縁部１ａ、１ｂの長さが略１ｍ程度とされ、長辺となる端縁部１ｃ、１ｄの長さが１．２ｍ程度に設定されている。
【００３０】
カバー部材１には、前後一対の端部補強板１１が取付けられている。一方の端部補強板１１は、端縁部１ａの直近でかつその長手方向に沿って細長く伸びており、他方の端部補強板１１は、端縁部１ｂの直近でかつその長手方向に沿って細長く伸びている。各端部補強板１１は、それぞれ例えば合成樹脂板によって適度な弾力性を有するように形成されて、外力が作用しない自由状態ではほぼ水平あるいは若干上に凸となるようにわずかに湾曲した状態を保持する一方、手指によって大きな外力を与えたときは大きく湾曲されるようになっている。
【００３１】
図３に示すように、各端部補強板１１は、取付布１２を利用してカバー部材１に一体化されている。すなわち、取付布１２は、端部補強板１１を全体的に覆う大きさとされて、取付布１２の全周縁部がカバー部材１に対して例えば縫合によって一体化されることによって、端部補強板１１がカバー部材１に一体化されている。
【００３２】
各端部補強板１１はそれぞれ、端縁部１ａ、１ｂの長さよりも十分短く設定されていて、端縁部１ａ、１ｂの長手方向中間部分に存在するように、かつ端縁部１ａ、１ｂの長手方向端部には存在しないように位置設定されている。端部補強板１１の長さは、後述する市販されている一般的な物干しハンガの幅と同じか若干長くなるように設定してあり、市販の物干しハンガの幅が３０ｃｍ前後が多いことから、端部補強板１１の長さを３０〜４０ｃｍ程度に設定するのが好ましい。つまり、実施形態では、端部補強板１１の長さは、端縁部１ａ、１ｂの長さの略１／３程度の長さとされている。
【００３３】
端部補強板１１の一端から端縁部１ａ、１ｂの一端までの長さＬ１と、端部補強板１１の他端から端縁部１ａ、１ｂの他端までの長さＬ２とは互いに等しくなるように設定されている。端部補強板１１が存在しない部分の長さＬ１、Ｌ２は、後述するように、洗濯物を覆った使用状態で垂れ下がる部分の長さ（つまり洗濯物を側方から覆う長さ）となるものであり、したがって、端部補強板１１の存在しない部分の長さＬ１、Ｌ２は、洗濯物を側方から覆う所望長さに応じて適宜設定されるものである。
【００３４】
カバー部材１の各隅には、それぞれ、連結用ひも２１の一端が縫合等によって固定されている。各連結用ひも２１の長さは、後述する使用状態において、前後方向同士の連結用ひも２１同士が、あるいは左右方向同士の連結用ひも２１同士が結ぶことができるような長さに設定されている（例えば、３０〜５０ｃｍ程度の長さに設定）。
【００３５】
カバー部材１の前後方向端部には、それぞれ、端部取付具３１が取付けられている。端部取付具３１は、物干し竿への固定用となるもので、実施形態では、クリップ形式のものが採択されており、その詳細が図３（および図１４，図１５）に示される。すなわち、端部取付具３１は、手指によって押圧される一対の操作部３１ａと、物干し竿を把持するための一対の把持部３１ｂを有する。そして、一対の操作部３１ａが互いに接近するように押圧、把持することによって、一対の把持部３１ｂが拡開され、この拡開状態とされた一対の把持部３１ｂの間に物干し竿を位置させた状態で操作部３１ａに対する押圧の外力を開放すると、リターンスプリング３１ｃの作用によって一対の把持部３１ｂが閉じ方向へ復帰されて、物干し竿を挟持することになる。
【００３６】
上記端部取付具３１が、連結具３２を介して、カバー部材１の前後方向端縁部１ａあるいは１ｂに連結されている。連結具３２は、実施形態では短尺（例えば１０ｃｍ程度）のひもによって構成されて、連結具３２の一端が端部補強板１１と共にカバー部材１に縫合等により一体化され、連結具３２の他端が、端部取付具３１の例えばリターンスプリング３１ｃに巻回されて一体化されている。なお、連結具３２の端部取付具３１に対する連結位置は、例えば一方の操作部３１ａにする等、適宜選択できるものであるが、極力把持部３１ｂから遠く離れた位置にを選択するのが、後述する使用状態のときに洗濯物の上方に乾燥用空間を確保する上で好ましいものとなる。
【００３７】
図１、図２に示すように、カバー部材１には、左右方向中間位置において、前後方向に間隔をあけて３つのスリット４１、４２，４３が形成されている。前後方向中央に位置する中央のスリット４１は、かなり長く設定される一方、中央のスリット４１を挟むようにして位置される端部スリット４２，４３は、短く設定されている。各スリット４１〜４３の長手方向端は、符合αで示すように縫合等によって閉塞されて、スリット４１〜４３が所望長さとなるように設定されている。カバー部材１には、その左右方向中間位置において、各スリット４１〜４３の長手方向縁部に沿うように補強布４５が縫合等によって一体化されている。
【００３８】
図２に示すように、スリット４１を拡開させることにより、物干しハンガにおける取付具が貫通される中央貫通孔が形成される。また、スリット４２，４３を拡開させることにより、物干しハンガにおける取付具が貫通される端部貫通孔が形成される。このように、スリット４１〜４３を利用して、物干しハンガにおける取付具が貫通される貫通孔が開閉可能とされており、拡開させる外力が作用しない限り、スリット（貫通孔）４１〜４３は図１に示すように完全あるいはほぼ完全に閉じられた状態に復帰するようになっている。
【００３９】
中央に位置する長いスリット４１に対応させて、カバー部材１には前後一対の中間補強板６１が保持されている。各中間補強板６１は、端縁部１ａ、１ｂの長手方向に伸びて、端部補強板１１と同様に形成されている。この中間補強板６１も、取付布６２を利用してカバー部材１に対して取付けられているが、中間補強板６１とカバー部材１とは、左右方向に相対移動できるように設定されている。すなわち、中間補強板６１はスリット４１を跨ぐように配設される一方、取付布６２は各中間補強板６１についてスリット４１を挟んで左右一対存在する（スリット４１部分で取付布６２が分断されている）。そして、取付布６２による中間補強板６２の取付けに際しては、余裕代を有するように設定されて、中間補強板６１は、カバー部材１（および取付布６２）に対して、適度の摺動抵抗を有しつつも、左右方向に相対的にスライド可能とされている。
【００４０】
カバー部材１（および取付布６２）に対する中間補強板６１のスライド位置の変更によって、スリット４１は、図１に示す閉位置と、図２に示す開位置とを選択的にとり得る。図２に示すスリット部４１が開いた状態では、物干しハンガにおける取付具が通過可能な大きな開口面積を有する中央貫通孔が形成された状態となり、中間補強板６１とカバー部材１、取付布６２との摺動抵抗によって、大きな開口面積とされた中央貫通孔が形成された状態が維持されることになる。スリット４１（中央貫通孔）の開口幅は、中間補強板６１のカバー部材１に対するスライド位置を変更することによって調整可能である。勿論、カバー部材１と中間補強板６１とを相対的にスライドさせる外力を作用させない限り、カバー部材１と中間補強板６１とはその相対的なスライド位置が保持される（図１あるいは図２の状態が保持可能）。
【００４１】
次に、以上のように構成された物干しカバーＫの使用例について、説明する。まず、図５は、物干し竿７１に対して各端部取付具３１（の把持部３１ｂ）を取付、固定した状態を示し、物干し竿７１の長手方向端部から見た状態とされる。この図５から容易に理解されるように、カバー部材１は、補強板１１、６１によって、物干し竿７１の上方部分が若干上に凸となった状態でもって屋根のように覆う状態となり、かつ補強板１１，６１の各端部からはカバー部材１が下方へ向けて伸びる垂れ下がり状態となる。
【００４２】
図６は、タオル等の洗濯物８１を物干し竿７１に直接保持させた状態で、この洗濯物８１を物干し竿７１と共に覆った状態が示される。すなわち、一対の端部取付具３１を、カバー部材１が物干し竿７１の長手方向に沿ってぴんと張るような状態となるようにして物干し竿７１に取付けた状態である。洗濯物８１は、カバー部材Ｋによって、上方から覆われると共に、左右側方も覆われることになる。カバー部材１のうち、左右一対の垂れ下がっている部分は、左右に位置する連結用ひも２１同士を結ぶことによって、風にあおられてもまくれ上がることがなく、図６の状態が維持される。
【００４３】
図７は、洗濯物８２を保持したハンガ９１を物干し竿７１に取付けて、洗濯物８２，ハンガ９１および物干し竿７１を、まとめて物干しカバーＫで覆った場合の使用例が示される。この図７の使用例においても、物干しカバーＫの物干し竿７１に対する取付け態様は、図６の場合と同様である。
【００４４】
図８は、物干し竿７１に物干しハンガ９５を取付けたときに、物干しハンガ９５を物干しカバーＫでもって覆う場合の使用例が示される。すなわち、物干しハンガ９５は、洗濯物を保持するための保持具９５ａ（実施形態では選択ばさみ構造）を多数有しており、前後方向にかなり長く設定されている関係上、物干し竿７１への取付具として、１つの大型の中央取付具９５ｂと、２つの小型の端部取付具９５ｃとを有するものとなっている。物干しカバーＫは、その中央スリット４１に中央取付具９５ｂを挿通させ、その端部のスリット４２，４３に２つの端部取付具９５ｃを挿通させた状態でもって、物干し竿７１の下方において、物干しハンガ９５を覆っている。
【００４５】
物干しハンガ９５に保持された洗濯物（図８では図示を略す）は、その上方と左右側方とが物干しカバーＫによって覆われることになる。ただし、物干しハンガ９５はその前後方向長さが長いために、物干しハンガ９５の前後方向端部は物干しカバーＫによっては覆われない状態とされる。早期の乾燥を重視する場合は、中央のスリット４１が大きく開かれた状態（図２対応）でもって、乾燥を行えばよい。また、埃付着等の汚れ防止や日焼け防止を重視する場合は、スリット４１を閉じた状態でもって乾燥を行なえばよい。なお、端部取付具９５ｃは、物干しハンガ９５の長手方向端に設けられたものであってもよい。また、カバー部材１に取付けられた端部取付具３１は、物干し竿７１に取付けられない状態としておくときは、重しの役割をになって、図８の状態からカバー部材１が不用意にまくれ上がってしまうのが防止され、また図８の状態で端部取付具３１を物干し竿７１に取付けておくことにより、カバー部材１の端部の位置決めを行うようにしておくこともできる。
【００４６】
図９は、物干しハンガ９７を物干しカバーＫでもって覆う別の使用例を示すものである。図９の場合は、物干しハンガ９７が、前後方向に短くなっていて、物干し竿７１への取付具９７ａは１つのみ有するものとされている。なお、図９では、物干しハンガ９７における洗濯物を保持する多数の保持具については図示を略してあるが、図８の場合と同じように多数の保持具を有しているものである。
【００４７】
図９の場合、物干しカバーＫの中央のスリット４１に取付具９７ａを挿通させた状態でもって、取付具９７ａが物干し竿７１に取付けられる。カバー部材１は、物干しハンガ９７の前後方向長さおよび左右方向長さよりも十分に大きいために、物干しハンガ９７の上方および左右側方のみならず、前後側方をも覆っている。カバー部材１のうち、垂れ下がって側方を覆う部分に余裕面積部分が形成されるが、連結用ひも２１を、前後方向あるいは左右方向でもって結ぶことにより、余裕面積部分が不体裁に垂れ下がってしまうことが防止され、また風によるまくれ上がりが防止される。
【００４８】
なお、図９の使用例において、カバー部材１は、その補強板１１，６１が物干し竿７１の長手方向と直交する方向に伸びる態様でもって使用してもよく、あるいは補強板１１、６１が物干し竿７１の長手方向に伸びる態様でもって使用することもできる。特に、物干しハンガ９７の取付具９７ａが、その基端部において図７に示すハンガのように物干し竿７１の長手方向と直交する方向に幅広とされているときは、補強板１１，６１がハンガの幅広方向と直交する方向に伸びる態様で使用するのが好ましいものとなる（長いスリット４１が取付具９７ａの幅広方向に伸びる態様での使用）。
【００４９】
図１０は、補強板１１，６１の変形例を示すものである、図１０の例は、合成樹脂製の補強板１１，６１に、物干し竿７１への取付部１００を一体成形したものである。取付部１００は、下方に向けて開口されたクリップ形状とされて、拡開させつつ物干し竿７１に嵌合させた後、拡開の外力を解除すると弾性復帰による縮径作用によって、物干し竿７１を把持するものとなっている。端部補強板１１のみならず、中間補強板６１をも物干し竿７１に取付けることにより、例えば図５〜図８に示す物干し竿７１を上方から覆う使用態様において、物干しカバーＫの物干し竿７１への取付強度が向上されると共に、カバー部材１の長手方向中間部が不用意に垂れ下がるのを防止する上で好ましいものとなる。なお、端部補強板１１に取付部１００を形成した場合は、連結具３２や端部取付具３１は不要になる（このことは以下の例においても同じ）。
【００５０】
図１１は、図１０の変形例で、補強板１１，６１と、取付部１００との間に、上下方向に長い（例えば５〜１０ｃｍ）支柱部１０１を有するものとなっている。本例の場合、例えば図５〜図８に示す使用態様において、物干しカバーＫのうち洗濯物の上方を覆う部分が、洗濯物よりも相当に高い位置となるので、つまり洗濯物の上方に水分が逃げる余裕空間が上下方向に高く確保されるので、早期乾燥の上で好ましいものとなる。図１１の例において、支柱部１０１の基端部に、図中一点鎖線で示すように細幅とされた弱化部βを形成しておくことにより、この弱化部βを中心に、弱化部βから先の部分を補強板１１（６１）に対して起倒可能としてもよい（大きな外力が作用しない限り、起立状態が維持され、同様に倒伏状態が維持されるように弱化部βを形成することは可能である）。
【００５１】
図１２は、図１１の変形例を示すもので、支柱部１０１の長さを図１１の場合よりも長くしてある。また、取付部１００と支柱部１０１との一体成形品を、補強板１１，６１とは別体に形成して、支軸１０２を中心にして、取付部１００と支柱部１０１との一体成形品が補強板１１，６１に対して起倒可能としてある。起倒させる際の回動抵抗を大きくしたり、あるいは凹部と突部との係合による係止機能を利用して、大きな外力が作用しない限り、図１２実線で示す起立位置あるいは図１２一点鎖線で示す倒伏位置を維持できるようになっている。上記起立位置は、図５〜図８で示すような使用態様での使用の際に好ましく（洗濯物の上方空間確保）、上記倒伏位置は、図８、図９に示すような使用態様での使用に好ましいものとなる（取付部１００と長い支柱部１０１とが物干しハンガに干渉するのを防止）。
【００５２】
図１３は、図１１，図１２の変形例となるもので、支柱部１０１を、補強板１１，６１と一体成形された上支柱部１０１ａと、取付部１００と一体成形された下支柱部１０１ｂとの分割構成として、上下の支柱部１０１ａと１０１ｂとを、上下方向にスライド可能に嵌合させてある。上下の支柱部１０１ａと１０１ｂとの上下方向のスライド位置を変更することにより、支柱部１０１の上下方向長さが調整可能とされる（テレスコピック式での伸縮）。なお、上下の支柱部１０１ａと１０１ｂとの嵌合をきつくすることにより、あるいは例えば凹部と突部との係合による係止機能を利用することにより、大きな外力が作用しない限り、変更された後のスライド位置が確実に維持される。
【００５３】
図１４，図１５は、クリップ式の端部取付具３１における一対の挟持部３１ｂと、端部補強板１１との間の距離となる上下方向連結長さを大きくする場合の例を示す。すなわち、一方の操作部３１ａに、連結筒部３５が一体成形あるいは一体化されて、この連結筒部３５には上方に開口された下嵌合凹部３５ａが形成されている。また、端部補強板１１の下面には、上連結筒部３６が一体成形されて、この上連結筒部３６には下方に開口された上嵌合凹部３６ａが形成されている。そして、上下方向に長く伸びる連結支柱３７が、上下の嵌合凹部３５ａ、３６ａに嵌合されている。これにより、端部取付具３１と端部補強板１１との上下方向間隔を大きくすることが可能となり、また、端部取付具３１と端部補強板１１との連結強度も高いものとなる。
【００５４】
図１４，図１５の例において、互いに長さの相違する連結支柱３７を複数用意して、連結支柱３７を交換することによって、端部取付具３１と端部補強板１１との上下方向間隔を変更することができる。なお、連結支柱３７そのものを、テレスコピック式にして、上下方向に伸縮可能とすることもできる（この場合、連結支柱３７を、端部補強板１１と端部取付具３１とに常時一体化された状態としておくこともできる）。
【００５５】
図１６は、変形例を示すものであるが、端部取付具３１および連結用ひも２１は図示を略してある。まず、図１６の例は、図１，図２におけるスリット４１に相当する部分に中央貫通孔４１Ｂを形成すると共に、スリット４２，４３に相当する位置において、端部貫通孔４２Ｂ、４３Ｂを形成してある。そして、各貫通孔４１Ｂ〜４３Ｂの全周縁部を、補強板１５あるいは１６でもって補強してある。すなわち、補強版１５あるは１６には、対応する貫通孔４１Ｂ〜４３Ｂに整合させて（連通させて）貫通孔を形成してある。補強板１５，１６の外周形状は、左右方向に細長い楕円形とされて、それぞれ適度の弾力性を有する腰の強いものとされている。そして、特に中央の補強板１５は、補強板６１と同様の機能を有するように、左右方向にかなり長く、かつ外力が作用しない限り極力平坦面を維持するように設定されている。なお、図１６の例では、端部貫通孔４２Ｂ、４３Ｂがそれぞれ左右方向に長く伸びる楕円形状とされているが、前後方向に長く伸びる楕円形状とすることもでき、円形とすることもできる。同様に、端部貫通孔４２Ｂ、４３Ｂに対応した補強板１６も、端部貫通孔４２Ｂ、４３Ｂの形状等に対応して適宜の形状に設定することができる。
【００５６】
図１７は、参考例を示すもので、図１，図２の場合と同様に、スリット４１〜４３を有する。そして、図１７の例では、スリット４１〜４３を、ファスナ１７あるいは１８でもって開閉するようにしたものである。ファスナ１７、１８は、面ファスナや操作片をスライド動させることによって開閉を行うジッパー式のいずれであってもよい。
【００５７】
図１８は、参考例を示すもので、図１，図２に示す場合と同様にスリット４１〜４３を有するが、各スリット４１〜４３と直交するように左右方向に伸びる別のスリット５〜７を有する。別のスリット５〜７は、それぞれ、カバー部材１の左右方向一端に開口されている。そして、例えば面ファスナ等の係止部８を設けて、別のスリット５〜７の長手方向端部を開閉できるようにしてある。図１８の例によれば、例えば図８に示す物干しハンガ９５の各取付具９５ｂ、９５ｃをあらかじめ物干し竿７１に取付けた状態でもって、物干し竿７１の下方に位置させた物干しカバーＫでもって物干しハンガ９５を覆うことが可能になる。すなわち、スリット５〜７を開いて、この開いたスリット５〜７に対して物干しハンガ９５の取付具９５ｂ、９５ｃを挿入させて、この取付具９５ｂ、９５ｃがスリット４１〜４３に位置した後に、係止部８によって別のスリット５〜７を閉じるようにすればよい。
【００５８】
図１９は、端部取付具からカバー部材１への連結部分に渡っての変形例を示すものである。本例では、端部取付具１３０が、図１〜図３等に示す端部取付具３１に対応しており、よって端部取付具３１に対応する部分には端部取付具３１において用いられた符号を用いてある。図１９の端部取付具１３０においては、その把持部３１ｂとして、横方向に小間隔をあけて２個有するものとされ、これに対応して、リターンスプリング３１ｃも２個設けられている（物干し竿７１への取付強度の向上）。ただし、操作部３１ａは、２個の把持部３１ｂ共通用とされて、操作性が悪化しないようにしてある。
【００５９】
また、カバー部材１と端部取付具１３０とを連結する連結具として、細幅のベルト１４０を用いて構成してある（連結具３２に対応）。この環状のベルト１４０は、その一端部側が端部取付具１３０のリターンスプリング３１ｃに取付けられ、その他端部側が、フック１２０に取付けられている（各取付部位において巻き掛けられた状態で環状に構成されている）。フック１２０は、開閉される一対の把持部１２１と１２２とを有して、この挟持部１２１と１２２とでカバー部材１の端部を端部補強板１１と共に挟持することにより、カバー部材１へ取付けられる。そして、操作部１２４ｃを操作して、把持部１２１と１２２とを開くことにより（開いた状態が図１９一点鎖線で示される）、カバー部材１とフック１２０（したがって端部取付具１３０）とが互いに離間される。このように、図１９の例では、端部取付具１３０とカバー部材１とが、フック１２０を利用して着脱自在とされている。これにより、使用態様に応じて、適宜端部取付具１３０をカバー部材１に対して取付あるいは取外すことができる。
【００６０】
連結具１４０には、その長さ調整用の調整具１５０が取付けられている。この調整具１５０は、連結具１４０の一部を余らせるためのもので、余り部が符合１４０ａで示される。調整具１５０を利用して余り部１４０ａの長さを変更することにより、端部取付具１３０からフック１２０に至るまでの実質的な長さが変更される。なお、このような長さ調整のための調整具１５０は、市販の適宜の構造のものを用いることができる。
【００６１】
図１９の例において、カバー部材１を例えば図７，図８に示すような態様で用いるとき、つまり端部取付具１３０を物干し竿７１に取付けて、カバー部材１を物干し竿７１の長手方向に伸ばした状態で使用する場合に、物干し竿７１とカバー部材１のうち物干し竿７１の上方に位置される部分との高さを変更することができる。すなわち、連結具１４０を短くするほど、フック１２０が端部取付具１３０に対して相対的に高い位置をとることができ、逆に、連結具１４０が長くなるほど、そのたるみによってフック１２０と端部取付具１３０とが相対的に低い位置とされる。
【００６２】
ここで、連結具１４０を、伸縮可能な弾性ベルトを利用して構成することができる。この場合、カバー部材１を例えば図７，図８のようにして使用する場合に、カバー部材１を物干し竿７１の長手方向に常時ぴんと張った状態を維持させることができる（カバー部材１のうち物干し竿７１の上方を覆う部分が不用意に垂れ下がってしまうことの防止）。なお、図１〜図３に示す実施形態における連結具３２も、弾性ベルト等を利用して伸縮可能とすることもできる。１００を設けてある（取付具１００は、例えば図１０〜図１３に示すものと同様のものとすることができる）。
【００６３】
図２０，図２１は参考例を示すものであり、カバー部材１に、物干しハンガの取付具が挿通される貫通孔（またはスリット）を有しないものとした場合を示してある。すなわち、本例では、もっぱら物干し竿の上方から覆うような使用態様とされる。また、中間補強板６１を、一対の端部取付具３１の中間位置において１つのみ設けるようにしてあるが、前後方向に間隔をあけて複数本設けるようにすることもできる。中間補強板６１の下面には、図１０の場合と同様の取付具１００が設けられている。取付具１００部分の構造は、図１１〜図１３のような構造を採択することもできる。なお、本例の場合も、端部取付具３１や連結用ひも２１を有するものとなっているが、図１６の場合等と同様にその図示を略してある。
【００６４】
図２０，図２１の例では、中間補強板６１をカバー部材１に取付けるための取付布６２を、左右方向中間部で分断された左右一対構造とされている（取付具１００に相当する付近では取付布６２が存在しない）。そして、左右一対の取付布６２は、その相対向する部分が開口部とされている。これにより、カバー部材１にあらかじめ取付布６２が取付けられた状態で、手指によって外力を加えて湾曲させた中間補強板６１の一方側端部を一方の取付布６２内に挿入する一方、中間補強板６１の他方の端部を他方の取付布６２内に挿入することにより、図２０，図２１に示すようなカバー部材１に中間補強板６１を組み込んだ状態が確保される。逆に、中間補強板６１を取付布６２から抜き出すこともできる（中間補強板６１の交換も可能）。このような左右一対の取付布６２を利用した中間補強板６１の着脱自在な取付構造は、端部補強板１１においても同様に適用し得るものである。なお、中間補強板６１がカバー部材１に対して着脱できない取付構造とすることもできる。
【００６５】
以上実施形態について説明したが、本発明は、実施形態に限定されるものではなく、特許請求の範囲の記載された範囲において適宜の変更が可能であり、例えば次のような場合をも含むものである。カバー部材１は、その用途に応じて適宜の材質あるいは構造ものを採択することができ（例えば防水機能が向上されたもの、花粉を通さないもの等）、また必ずしもメッシュ状のものでなくてもよい（通気性を有しない場合であってもよい）。物干しハンガにおける洗濯物の保持具は、クリップ式に限らず、例えば図７に示すハンガを直列に多数有するハンガ式であってもよい。物干しハンガにおける物干し竿への取付具は、フック式（引っ掛け式）に限らず、クリップ式等、適宜の構造のものであってもよく、また物干し竿への取付具を複数有する場合に、端部の取付具は物干しハンガの本体の長手方向端に設けられているものであってもよい。
【００６６】
連結用ひも２１は、面ファスナを有するものとして、別の連結用ひもに対して面ファスナを利用して連結するようにしてもよい。端部補強板１１、中間補強板６１は、合成樹脂で形成する場合に限らず、例えば金属で形成する等、その材質は特に問わないものである。図１０〜図１５に示す構造の補強板および取付具は、中間補強板６１のみに採用してもよく、あるいは端部補強板１１にのみ採用してもよい。物干しハンガの取付具が挿通される貫通孔としては、中央貫通孔４１Ｂ（スリット４１）のみを有するものであってもよい。図１、図２に示すスリット４１〜４３を互いに連続したものとして形成してもよい。連結具３２（１４０）を、端部取付具３１（１３０）に対して着脱可能として取付けるようにしてもよい。また、連結具３２（１４０）をその長手方向に２分割構成として、この２分割された連結具３２（１４０）同士を着脱可能に連結するようにしてもよい。勿論、本発明の目的は、明記されたものに限らず、実質的に好ましいあるいは利点として表現されたものを提供することをも暗黙的に含むものである。
【図面の簡単な説明】
【００６７】
【図１】本発明の一実施形態を示す物干しカバーの平面図。
【図２】図１の状態から、各スリットを開いて貫通孔を形成した場合を示す展平面図。
【図３】端部補強板と端部取付具との連結部位を示す要部断面図。
【図４】図１のＸ４−Ｘ４線相当断面図。
【図５】本発明による物干しカバーで物干し竿を上方から覆った状態を示す図。
【図６】本発明による物干しカバーの使用例を示す斜視図。
【図７】本発明による物干しカバーの第２の使用例を示す斜視図。
【図８】本発明による物干しカバーの第３の使用例を示す斜視図。
【図９】本発明による物干しカバーの第４の使用例を示す斜視図。
【図１０】補強板と物干し竿への取付部分の変形例を示す正面図。
【図１１】補強板と物干し竿への取付部分の第２の変形例を示す正面図。
【図１２】補強板と物干し竿への取付部分の第３の変形例を示す正面図。
【図１３】補強板と物干し竿への取付部分の第４の変形例を示す正面図。
【図１４】補強板と物干し竿への取付部分の第５の変形例を示す正面図。
【図１５】図１４の左側面図。
【図１６】図１，図２の変形例を示す要部平面図。
【図１７】図１，図２の第２の変形例を示す要部平面図。
【図１８】図１，図２の第３の変形例を示す要部平面図。
【図１９】カバー部材と端部取付具との連結部位の変形例を示す要部側面図。
【図２０】参考例を示す要部平面図。
【図２１】図２１のＸ２１−Ｘ２１線相当断面図。
【符号の説明】
【００６８】
Ｋ：物干しカバー
１：カバー部材
１ａ、１ｂ：前後方向端縁部（特定の端縁部）
１ｃ、１ｄ：左右方向端縁部
１１：端部補強板
１２：取付布
１５，１６：補強板（図１６）
１７，１８：ファスナ（図１８）
２１：連結用ひも
３１：端部取付具
３２：連結具（ひも）
３７：連結支柱（図１４，図１５）
４１：スリット（中央貫通孔用）
４１Ｂ：中央貫通孔
４２；４３：スリット（端部貫通孔用）
４２Ｂ、４３Ｂ：端部貫通孔
６１：中間補強板
６２：取付布
７１：物干し竿
８１，８２：洗濯物
９５：物干しハンガ
９５ｂ、９５ｃ：取付具
９７：物干しハンガ
９７ａ：取付具
１００：取付部（図１０〜図１３、図２０、図２１）
１０１：支柱部（図１０〜図１３）
１０２：支軸（図１２）
１２０：フック（図１９）
１３０：端部取付具（図１９）
１４０：連結具（図１９）
【図１】
0004263754.tif 000002
【図２】
0004263754.tif 000003
【図３】
0004263754.tif 000004
【図４】
0004263754.tif 000005
【図５】
0004263754.tif 000006
【図６】
0004263754.tif 000007
【図７】
0004263754.tif 000008
【図８】
0004263754.tif 000009
【図９】
0004263754.tif 000010
【図１０】
0004263754.tif 000011
【図１１】
0004263754.tif 000012
【図１２】
0004263754.tif 000013
【図１３】
0004263754.tif 000014
【図１４】
0004263754.tif 000015
【図１５】
0004263754.tif 000016
【図１６】
0004263754.tif 000017
【図１７】
0004263754.tif 000018
【図１８】
0004263754.tif 000019
【図１９】
0004263754.tif 000020
【図２０】
0004263754.tif 000021
【図２１】
0004263754.tif 000022